(57)【特許請求の範囲】
【請求項１】
湯水を加熱する熱源機と、
前記熱源機側からの湯水を浴槽側へ供給する往き流路と、
前記浴槽側からの湯水を前記熱源機側へ供給する戻り流路と、
前記戻り流路から前記熱源機側へ流れる湯水を前記往き流路へバイパスさせる熱源機側バイパス流路と、
前記熱源機側バイパス流路を開閉する熱源機側切替機構部と、
前記往き流路から前記浴槽へ流れる湯水を前記戻り流路へバイパスさせる浴槽側バイパス流路と、
流通する湯水の温度が第１の温度以上である場合に前記浴槽側バイパス流路を閉じ、前記流通する湯水の温度が前記第１の温度よりも低い場合に前記浴槽側バイパス流路を開き前記往き流路を閉じる浴槽側切替機構部と、
設定湯張り量および設定温度となるよう前記浴槽へ湯張りする指示を受け付ける入力受付部と、
前記入力受付部が前記指示を受け付けた場合、前記浴槽内の残湯を前記往き流路または戻り流路に循環させ前記残湯の有無を検出する残湯検出部と、
前記残湯検出部により残湯があると検出された場合、前記往き流路または戻り流路を流れる湯水の温度を検出する温度検出部と、
前記残湯検出部により残湯があると検出された場合、前記残湯の水位を取得する水位センサと、
前記温度検出部により検出された前記湯水の温度が第２の温度以下である場合、前記熱源機側バイパス流路を閉じるよう前記熱源機側切替機構部を制御し前記熱源機において前記湯水を加熱して前記浴槽側切替機構部に供給し、前記熱源機において湯水を加熱してから所定時間経過した後に前記温度検出部により検出された湯水の温度を前記残湯温度としてみなし、前記温度検出部により検出された前記湯水の温度が第２の温度以下ではない場合、前記温度検出部により検出された前記湯水の温度を前記残湯温度としてみなし、前記残湯の水位および前記残湯温度に基づいて前記設定湯張り量および前記設定温度まで湯張りするのに必要な補水量および補水温度を算出し前記浴槽に注湯することにより湯張りする制御部と、を備えた風呂給湯システム。
【請求項２】
前記制御部は、前記温度検出部により検出された前記湯水の温度が第２の温度以下ではない場合、前記熱源機側バイパス流路を閉じることなく、検出された前記湯水の温度を前記残湯温度としてみなし、前記残湯の水位および前記残湯温度に基づいて前記設定湯張り量および前記設定温度まで湯張りするのに必要な補水量および補水温度を算出し前記浴槽に注湯することにより湯張りする請求項１記載の風呂給湯システム。
【請求項３】
前記第２の温度は、前記第１の温度以上の温度である請求項１または２記載の風呂給湯システム。
【発明の詳細な説明】
【技術分野】
【０００１】
本発明は、自動湯張りおよび追焚き機能を備えた風呂給湯システムに関する。
【背景技術】
【０００２】
従来から、浴槽内の湯を目標水位および温度に保つように、自動で湯張りを行う風呂給湯システムが知られている（例えば特許文献１参照）。一方、風呂循環流路切替装置に流路内の残留水が流入すると、感温切替弁により往き流路から浴槽への通水を遮断して、バイパス流路を介して戻り流路へ通水させる技術が知られている（例えば、特許文献２参照）。
【先行技術文献】
【特許文献】
【０００３】
【特許文献１】特開２００３−４２５３３号公報
【特許文献２】特開２０１２−１８９２３２号公報
【発明の概要】
【発明が解決しようとする課題】
【０００４】
上述した風呂給湯システムにおいては、通常、自動湯張りが指示されると、浴槽内の残湯の有無、水位および温度を検出し、所要の補水量の算出および追焚き制御が行われる。このような風呂給湯システムに、感温切替弁により開閉されるバイパス流路を設けようとした場合、所定条件下においては自動湯張りを行うことに支障が生じる恐れがあった。
【０００５】
すなわち、感温切替弁により開閉されるバイパス流路を備えた場合、（１）浴槽に残湯があり、かつ（２）前回湯張りまたは追焚きを行った時から一定時間が経過し、流路内の湯水が感温切替弁がバイパス流路を開く温度よりも低い温度となった場合に自動湯張りが指示されると、バイパス流路が開状態となる。これにより、浴槽内の残湯を流路内に循環させることができず、浴槽内の残湯の有無、水位、および温度を検出することができない。
【０００６】
本発明はこのような事情を考慮してなされたもので、自動湯張り制御を好適に実行することができる風呂給湯システムを提供することを目的とする。
【課題を解決するための手段】
【０００７】
本発明に係る風呂給湯システムは、上述した課題を解決するために、湯水を加熱する熱源機と、前記熱源機側からの湯水を浴槽側へ供給する往き流路と、前記浴槽側からの湯水を前記熱源機側へ供給する戻り流路と、前記戻り流路から前記熱源機側へ流れる湯水を前記往き流路へバイパスさせる熱源機側バイパス流路と、前記熱源機側バイパス流路を開閉する熱源機側切替機構部と、前記往き流路から前記浴槽へ流れる湯水を前記戻り流路へバイパスさせる浴槽側バイパス流路と、流通する湯水の温度が第１の温度以上である場合に前記浴槽側バイパス流路を閉じ、前記流通する湯水の温度が前記第１の温度よりも低い場合に前記浴槽側バイパス流路を開き前記往き流路を閉じる浴槽側切替機構部と、設定湯張り量および設定温度となるよう前記浴槽へ湯張りする指示を受け付ける入力受付部と、前記入力受付部が前記指示を受け付けた場合、前記浴槽内の残湯を前記往き流路または戻り流路に循環させ前記残湯の有無を検出する残湯検出部と、前記残湯検出部により残湯があると検出された場合、前記往き流路または戻り流路を流れる湯水の温度を検出する温度検出部と、前記残湯検出部により残湯があると検出された場合、前記残湯の水位を取得する水位センサと、前記温度検出部により検出された前記湯水の温度が第２の温度以下である場合、前記熱源機側バイパス流路を閉じるよう前記熱源機側切替機構部を制御し前記熱源機において前記湯水を加熱して前記浴槽側切替機構部に供給し、前記熱源機において湯水を加熱してから所定時間経過した後に前記温度検出部により検出された湯水の温度を前記残湯温度としてみなし、前記温度検出部により検出された前記湯水の温度が第２の温度以下ではない場合、前記温度検出部により検出された前記湯水の温度を前記残湯温度としてみなし、前記残湯の水位および前記残湯温度に基づいて前記設定湯張り量および前記設定温度まで湯張りするのに必要な補水量および補水温度を算出し前記浴槽に注湯することにより湯張りする制御部と、を備えた。
また、前記制御部は、前記温度検出部により検出された前記湯水の温度が第２の温度以下ではない場合、前記熱源機側バイパス流路を閉じることなく、検出された前記湯水の温度を前記残湯温度としてみなし、前記残湯の水位および前記残湯温度に基づいて前記設定湯張り量および前記設定温度まで湯張りするのに必要な補水量および補水温度を算出し前記浴槽に注湯することにより湯張りするようにした。
【発明の効果】
【０００８】
本発明に係る風呂給湯システムにおいては、自動湯張り制御を好適に実行することができる。
【図面の簡単な説明】
【０００９】
【図１】本実施形態における風呂給湯システムの概略的なシステム構成図。
【図２】風呂循環具と接続された風呂循環流路切替装置の構成図。
【図３】切替装置バイパス流路が閉じた場合の風呂循環流路切替装置の断面図。
【図４】切替装置バイパス流路が開いた場合の風呂循環流路切替装置の断面図。
【図５】比較例としての風呂給湯システムにより実行される自動湯張り制御を説明するフローチャート。
【図６】本実施形態における風呂給湯システムにより実行される自動湯張り制御を説明するフローチャート。
【発明を実施するための形態】
【００１０】
本発明に係る風呂給湯システムの一実施形態を添付図面に基づいて説明する。
【００１１】
図１は、本実施形態における風呂給湯システム１の概略的なシステム構成図である。
【００１２】
風呂給湯システム１は、浴室３内に設けられた浴槽４と、浴室３外に設けられた風呂給湯機５（給湯機５）と、給湯機５と浴槽４とを接続する風呂循環流路６とを主に有する。
【００１３】
浴槽４は、風呂循環流路６と接続された風呂循環具７を有する。風呂循環具７は、浴槽４の壁面を貫通して設けられ、浴槽４に湯水（湯または水）を吐出する吐出口７ａと、浴槽４内の湯水を吸い込む吸込口７ｂとを有する。また、浴室３内には、給湯機５を操作するためのリモコン８と、カラン９とが設けられる。
【００１４】
熱源機としての給湯機５は、湯水を貯湯する貯湯タンク１１を有する。貯湯タンク１１は、貯湯タンク１１内の湯水を加熱するヒータ１２と、貯湯タンク１１内の貯湯温度を検出する貯湯温度センサ１３とを有する。貯湯タンク１１底部には、貯湯タンク１１に市水を供給する給水管１５が接続される。貯湯タンク１１頂部には、貯湯タンク１１から湯水を出湯する出湯管１６が接続される。出湯管１６は、給湯混合弁１７を介して給水管１５から分岐された給水バイパス管１８と接続される。
【００１５】
給湯混合弁１７は、給水バイパス管１８からの湯水と出湯管１６からの湯水とを給湯設定温度になるよう混合する。給湯混合弁１７にはさらに給湯管１９が接続されており、給湯混合弁１７で混合された湯水はカラン９へ導かれる。給湯管１９には、湯水の温度を検出する給湯温度センサ２１と、給湯量を検出する給湯流量カウンタ２２とが設けられる。また、給水管１５には、給水温度を検出する給水温度センサ２３が設けられる。
【００１６】
風呂循環流路６は、戻り管３１と、風呂熱交換器３３と、往き管３２とを主に有する。戻り管３１は、浴槽４側からの湯水を熱源機側へ供給する戻り流路を形成する。具体的には、戻り管３１は、風呂循環具７の吸込口７ｂから吸い込まれた浴槽４の湯水（浴槽水）を風呂熱交換器３３へ戻す。風呂熱交換器３３は、貯湯タンク１１内上部に設けられ、湯水を加熱する。往き管３２は、熱源機側からの湯水を浴槽４側へ供給する往き流路を形成する。具体的には、往き管３２は、風呂熱交換器３３で加熱された湯水を浴槽４側へ供給する。戻り管３１には、湯水を送る風呂循環ポンプ３５と、湯水が循環しているか否かを検出する流水センサ３６と、往き管３２（往き流路）および戻り管３１（戻り流路）を循環する湯水の温度を検出する風呂温度センサ３７と、浴槽４内の水位を検出する水位センサ３８とが設けられる。
【００１７】
また、風呂循環流路６は、風呂バイパス管４０と、風呂三方弁３９とを有する。風呂バイパス管４０は、戻り流路から熱源機側へ流れる湯水を往き流路へバイパスさせる熱源機側バイパス流路を形成する。風呂三方弁３９は、熱源機側バイパス流路を開閉する熱源機側切替機構部である。具体的には、風呂三方弁３９は、戻り管３１からの湯水を風呂熱交換器３３に流通させるか、往き管３２にバイパスさせるか、または戻り管３１を風呂熱交換器３３および風呂バイパス管４０のいずれにも連通しない閉止状態とするかを切り替える。
【００１８】
戻り管３１には、給湯管１９からの湯水を風呂循環流路６へ供給するため、給湯管１９から分岐された湯張り管４１が接続される。湯張り管４１は、湯張り管４１を開閉する湯張り弁４２と、湯張り管４１から供給される湯水の量をカウントする風呂流量カウンタ４３と、戻り管３１からの湯水の逆流を防止する逆止弁４４とを有する。
【００１９】
風呂給湯システム１は、風呂給湯システム１を電気的に制御する制御部５０を有する。制御部５０は、演算、比較、記憶機能、および時計機能を有し、給湯機５を制御するためのプログラムを予め記憶する。
【００２０】
制御部５０は、貯湯温度センサ１３、給湯温度センサ２１、給湯流量カウンタ２２、給水温度センサ２３、流水センサ３６、風呂温度センサ３７、水位センサ３８、および風呂流量カウンタ４３の検出値を取得し、この検出値に基づいてヒータ１２、給湯混合弁１７、風呂循環ポンプ３５、風呂三方弁３９、および湯張り弁４２を制御する。また、制御部５０は、入力受付部としてのリモコン８を介してユーザーの指示を受け付け、各部を制御し指示を実行する。例えば制御部５０は、リモコン８で指示された給湯設定温度や、風呂設定温度、設定湯量などに基づいて給湯運転、自動湯張り運転、追焚き運転などを実行する。
【００２１】
風呂循環流路６は、浴室３内の浴槽４裏側空間の風呂循環具７近傍に配置された、風呂循環流路切替装置２を有する。
【００２２】
図２は、風呂循環具７と接続された風呂循環流路切替装置２の構成図である。
図３は、切替装置バイパス流路６３が閉じた場合の風呂循環流路切替装置２の断面図である。
図４は、切替装置バイパス流路６３が開いた場合の風呂循環流路切替装置２の断面図である。
【００２３】
風呂循環流路切替装置２（切替装置２）は、風呂循環流路６から浴槽４への冷水の吐出を防止するために設けられる。切替装置２は、図２に示すように、切替装置往き流路６１と、切替装置戻り流路６２と、切替装置バイパス流路６３と、流路切替機構部７０とを主に備える。
【００２４】
切替装置往き流路６１（往き流路６１）は、往き流路の一部であり、給湯機５側からの湯水を浴槽４側へ供給する。切替装置戻り流路６２（戻り流路６２）は、戻り流路の一部であり、浴槽４側からの湯水を給湯機５側へ供給する。戻り流路６２は、略水平に伸びた第１水平流路６５と、第１水平流路６５端部から立ち上がった立ち上がり流路６６と、立ち上がり流路６６端部から略水平の方向に伸びた第２水平流路６７とを浴槽４側から順に有する。切替装置バイパス流路６３（バイパス流路６３）は、往き流路から浴槽４へ流れる湯水を戻り流路へバイパスさせる浴槽側バイパス流路を形成する。具体的には、バイパス流路６３は、往き流路６１を戻り流路６２（立ち上がり流路６６）に接続する。
【００２５】
流路切替機構部７０は、流通する湯水の温度が第１の温度以上である場合に浴槽側バイパス流路（切替装置バイパス流路６３）を閉じ、流通する湯水の温度が第１の温度よりも低い場合に浴槽側バイパス流路を開き往き流路（切替装置往き流路６１）を閉じる浴槽側切替機構部である。
【００２６】
図３および図４に示すように、流路切替機構部７０は、感温切替弁７１と、弁箱７２とを主に備える。感温切替弁７１は、流通する湯水の温度に応じて伸縮する形状記憶合金圧縮コイルバネ７４（ＳＭＡ（Shape Memory Alloy）バネ７４）と、このＳＭＡバネ７４によって移動する弁体７５と、この弁体７５をＳＭＡバネ７４の付勢力とは逆方向に付勢するバイアスバネ７６とを有する。また、感温切替弁７１は、バイアスバネ７６の付勢力を調整するプリセット荷重調整ネジ７７を有する。感温切替弁７１は、弁体７５の移動方向（ＳＭＡバネ７４およびバイアスバネ７６の付勢方向）が略水平方向となるように構成される。
【００２７】
ＳＭＡバネ７４は、第１の温度以上である場合に伸びてバイパス流路６３を閉じ、第１の温度より低い場合に縮みバイパス流路６３を開く。弁体７５は、このＳＭＡバネ７４とバイアスバネ７６との力関係によって移動する。バイパス流路６３が閉じた場合、後述する切替装置バイパス管９５（バイパス管９５）と切替装置戻り管８４（戻り流路６２とバイパス流路６３との区画壁８４ｅとなる箇所）とが弁座となる。バイパス流路６３が開いた場合、後述する接続部材８１が弁座となる。また、弁箱７２は、切替装置２が風呂循環具７と接続された場合に、管軸が浴槽４の外壁に沿って伸びた略水平方向である管状の部材である。本実施形態においては、接続部材８１と、切替装置往き管８２（往き管８２）の入口側接続口８２ｂを形成する箇所と、バイパス管９５とが感温切替弁７１の弁箱７２として機能する。
【００２８】
なお、このＳＭＡバネ７４は、浴槽４内に流入させてもユーザーにとって低温感の少ない温度であってユーザーが任意に設定可能な浴槽４に供給される湯水の温度（風呂設定温度）より低い温度（例えば３０℃）を、上記第１の温度に対応する形状回復温度として設計される。形状回復温度より低い雰囲気下では、ＳＭＡバネ７４の付勢力はバイアスバネ７６の付勢力よりも弱く、ＳＭＡバネ７４はバイアスバネ７６に押されて縮む。形状回復温度以上の雰囲気下では、ＳＭＡバネ７４の付勢力はバイアスバネ７６の付勢力よりも強く、ＳＭＡバネ７４はバイアスバネ７６に抗して伸びる。
【００２９】
次に、切替装置２の構成をさらに詳細に説明する。
往き流路６１は、接続部材８１と、往き管８２とで構成される。接続部材８１は、風呂循環流路６の往き管３２と往き管８２とを接続する部材である。接続部材８１は、往き管３２と入口側接続口８１ａで接続される。接続部材８１は、出口側接続口８１ｂで往き管８２の入口側接続口８２ｂと接続される。往き管８２は、風呂循環具７の往き側接続管７ｃと、出口側接続口８２ｃで接続される。また、接続部材８１は、往き管８２との接続部分に往き流路口８１ｃを有する。
【００３０】
ここで、往き流路６１が形成される場合は、図３に示すように、バイパス流路６３が閉じている場合である。すなわち、流路切替機構部７０を流通する湯水の温度が第１の温度以上である場合（ＳＭＡバネ７４が所定温度以上となり伸びた場合）に、弁体７５は弁座としてのバイパス管９５と切替装置戻り管８４（戻り管８４）に当接し、バイパス流路６３を閉じる。なお、切替装置２の「往き流路」という場合には、上記構成に限らず往き管３２の一部や、往き管８２より下流側の流路を含んでもよい。
【００３１】
戻り流路６２は、エルボ部分を一部に含む戻り管８４で構成される。戻り管８４は、第１水平流路６５と、立ち上がり流路６６と、第２水平流路６７とを形成する。戻り管８４は、立ち上がり流路６６の一部と第２水平流路６７とを形成するエルボ管（エルボ部分）９０を含む。
【００３２】
戻り管８４は、戻り側接続管７ｄと入口側接続口８４ｂで接続される。戻り管８４は、出口側接続口８４ｃでエルボ入口側接続口９０ａ（エルボ管９０の一端）と接続されるとともに、エルボ出口側接続口９０ｂ（エルボ管９０の他端）で風呂循環流路６の戻り管３１と接続される。また、戻り管８４は、第１水平流路６５と立ち上がり流路６６との接続部分にバイパス流路口８４ｄを有する。なお、切替装置２の「戻り流路」という場合には、上記構成に限らず戻り管８４より上流側の流路や、戻り管３１の一部を含んでもよい。
【００３３】
バイパス流路６３は、弁体７５と、バイパス管９５（戻り流路６２とバイパス流路６３との区画壁８４ｅとなる箇所を含む）と、プリセット荷重調整ネジ７７の流路側面７７ａと、バイパス流路口８４ｄとで構成される。ここで、バイパス流路６３が形成される場合は、図４に示すようにバイパス流路６３が開き往き流路６１が閉じている場合である。すなわち、流路切替機構部７０を流通する湯水の温度が第１の温度よりも低い場合（ＳＭＡバネ７４が所定温度よりも低く縮んだ場合）に、弁体７５は弁座としての接続部材８１に当接し、バイパス流路６３を開き、往き流路６１を閉じる。
【００３４】
このような切替装置２は、気水分離部として機能する戻り流路６２により、風呂循環流路６から浴槽４への冷水の吐出を防止する。すなわち、第１水平流路６５と第２水平流路６７との間に立ち上がり流路６６を設けて、第１水平流路６５と第２水平流路６７とに高低差を形成したことで、風呂循環ポンプ３５駆動時に戻り管３１内に第１水平流路６５のわずかな残留水を循環させることなく、浴槽４内の空気を主に吸い込むことができる。このような気水分離部は、例えば浴槽４が空の状態である場合に、風呂循環流路６内の残留水だけで循環することを防止することができる。
【００３５】
なお、第１水平流路６５の内径および立ち上がり流路６６の内径が大きい方が、気水分離部の機能を発揮する。また、第１水平流路６５および第２水平流路６７は、完全な水平ではなく、若干の傾斜を伴っていてもよい。さらに、立ち上がり流路６６は第１水平流路６５および第２水平流路６７に対して略垂直に立ち上がるのが好ましいが、第１水平流路６５および第２水平流路６７に高低差を設けることができれば垂直以外の角度で立ち上がってもよい。
【００３６】
次に、本実施形態における風呂給湯システム１により実行される、自動湯張り制御について説明する。自動湯張り制御は、浴槽４内の湯を目標水位および温度に保つように自動で補水および湯張りを行う制御である。本実施形態における風呂給湯システム１により実行される自動湯張り制御の作用を説明するため、まず切替装置２に相当する構成を有しない比較例としての風呂給湯システムにより実行される自動湯張り制御について説明する。
【００３７】
図５は、比較例としての風呂給湯システムにより実行される自動湯張り制御を説明するフローチャートである。
【００３８】
自動湯張り制御は、リモコン８を介してユーザーより自動湯張り運転の指示を受け付けることにより開始される。ステップＳ１において、制御部５０は、風呂三方弁３９を閉止状態とし、給湯混合弁１７を給水バイパス管１８側を全開とする位置に切替えた後、湯張り管４１の湯張り弁４２を開き、約１リットルの呼び水注湯を行う。呼び水注水が完了すると、制御部５０は湯張り弁４２を閉じ、戻り管３１からの湯水が往き管３２にバイパスするよう風呂三方弁３９を制御する。その後、ステップＳ２において、制御部５０は風呂循環ポンプ３５を作動する。ステップＳ３において、制御部５０は、流水センサ３６の検出値に基づいて浴槽４内に残湯があるかどうかを判定する。すなわち、風呂循環具７の吸込口７ｂから湯水が吸い込まれ、戻り管３１を循環しているか否かを検出する。制御部５０は残湯がないと判定した場合（ステップＳ３のＮＯ）、ステップＳ４において、風呂循環ポンプ３５を停止し、ステップＳ１０に進む。
【００３９】
一方、制御部５０は残湯があると判定した場合（ステップＳ３のＹＥＳ）、ステップＳ５において、風呂温度センサ３７より循環する湯水の温度ＴＨを取得する。ステップＳ６において、制御部５０は、取得した湯水の温度ＴＨを残湯温度として確定する。ステップＳ７において、制御部５０は風呂循環ポンプ３５を停止する。ステップＳ８において、制御部５０は、風呂三方弁３９を閉止状態に切り替えた後に水位センサ３８より残湯水位を取得する。ステップＳ９において、制御部５０は、取得した残湯水位に基づいて、設定湯張り量および温度まで湯張りするのに必要な補水量および補水温度を算出する。
【００４０】
ステップＳ１０において、制御部５０は注湯を開始する。すなわち、制御部５０は、戻り管３１からの湯水が往き管３２にバイパスするよう風呂三方弁３９を制御し、給湯混合弁１７を、出湯管１６からの湯と給水バイパス管１８からの水とを混合して給湯管１９へ給湯する位置に切り替えた後、湯張り弁４２を開き、湯張り管４１の風呂流量カウンタ４３より流量を取得する。最低作動流量以上が検出されると、制御部５０は、給湯温度センサ２１の検出する温度が算出ステップＳ９において算出された補水温度となるように給湯混合弁１７の開度を制御して、リモコン８を介して設定された風呂設定温度の湯張りを開始する。
【００４１】
制御部５０は、風呂流量カウンタ４３で検出する累積流量が算出された補水量に到達するまで注湯する。累積流量が補水量に到達すると、制御部５０は湯張り弁４２を閉じ、戻り管３１からの湯水を風呂熱交換器３３に流通させるよう風呂三方弁３９を切り替える。また、制御部５０は風呂循環ポンプ３５を作動して浴槽４の湯水を循環させる。制御部５０は、風呂温度センサ３７から取得した温度ＴＨが風呂設定温度に達するまで追焚きを行う。
【００４２】
ステップＳ１１において、制御部５０は追焚きを含む湯張りが完了したか否かの判定を行う。制御部５０は湯張りが完了していないと判定した場合（ステップＳ１１のＮＯ）、湯張りが完了するまでステップＳ１１を繰り返す。一方、制御部５０は湯張りが完了したと判定した場合（ステップＳ１１のＹＥＳ）、風呂循環ポンプ３５を停止し、自動湯張り制御を終了する。
【００４３】
このような自動湯張り制御を、切替装置２を備えた本実施形態における風呂給湯システム１に適用した場合、以下のような問題が生じる。すなわち、流路切替機構部７０により開閉されるバイパス流路６３を備えた場合、（１）浴槽４に残湯があり、かつ（２）前回湯張りまたは追焚きを行った時から一定時間（例えば２、３時間）が経過し、風呂循環流路６を形成する往き管３２および戻り管３１内の湯水が流路切替機構部７０（感温切替弁７１）がバイパス流路６３を開く温度よりも低い温度となった場合に自動湯張りが指示されることが生じ得る。この場合、バイパス流路６３は開状態および往き流路６１は閉状態となる。
【００４４】
このような状態で、図５の循環ポンプＯＮステップＳ２が行われると、風呂循環流路６の管内に残った低い温度の湯水が循環することになる。この結果、残湯判定ステップＳ３において、残湯ありと判定され、戻り温度取得ステップＳ５において風呂温度センサ３７で検出される温度は浴槽４内の残湯温度と異なり、残湯の正確な温度や水位を得ることができない。
【００４５】
これに対し、本実施形態における風呂給湯システム１は、上記条件（１）および（２）が想定される状況下においては、戻り管３１からの湯水を強制的に風呂熱交換器３３に流通させるよう風呂三方弁３９を制御することにより、好適に自動湯張り制御を行うことができる。
【００４６】
図６は、本実施形態における風呂給湯システム１により実行される自動湯張り制御を説明するフローチャートである。
【００４７】
ステップＳ２１〜ステップＳ２５は、図５の呼び水注湯ステップＳ１〜戻り温度取得ステップＳ５とほぼ同様であるため、ここでは説明を省略する。
【００４８】
ステップＳ２６において、制御部５０は戻り温度取得ステップＳ２５において取得した温度ＴＨが第２の温度としての所定温度以下であるかの判定を行う。ここで、第２の温度は、流路切替機構部７０がバイパス流路６３を開き往き流路６１を閉じていることにより、風呂循環流路６の管内の湯水のみが循環しているかどうかを判断することができる温度である。確実に上記判断を行うため、第２の温度は、第１の温度としての流路切替機構部７０のＳＭＡバネ７４の形状回復温度以上の温度に設定されるのが好ましく、形状回復温度＋３〜５℃程度の温度がより好ましい。
【００４９】
制御部５０は温度ＴＨが所定温度以下ではないと判定した場合、すなわちバイパス流路６３が閉じていると判定した場合（ステップＳ２６のＮＯ）、ステップＳ３０へ進む。
【００５０】
制御部５０は温度ＴＨが所定温度以下であると判定した場合、すなわちバイパス流路６３が開き往き流路６１が閉じていると判定した場合（ステップＳ２６のＹＥＳ）、ステップＳ２７において、戻り管３１からの湯水を風呂熱交換器３３に流通させるよう風呂三方弁３９を制御し、風呂循環流路６を流れる湯水は貯湯タンク１１内に貯められている高温の湯により加熱される。ステップＳ２８において、制御部５０は所定時間が経過したか否かの判定を行う。所定時間は、配管長さにより決定される、風呂循環流路６を流れる湯水の温度がＳＭＡバネ７４の形状回復温度よりも高い温度となったとみなすことができる時間であり、例えば１〜２分程度である。制御部５０はいまだ所定時間が経過していないと判定した場合（ステップＳ２８のＮＯ）、所定時間が経過するまで待機する。一方、制御部５０は所定時間が経過したと判定した場合（ステップＳ２８のＹＥＳ）、ステップＳ２９において、風呂温度センサ３７より循環する湯水の温度ＴＨを取得する。ステップＳ２９〜ステップＳ３５は、図５の戻り温度取得ステップＳ５〜湯張り完了判定ステップＳ１１とほぼ同様であるため、ここでは説明を省略する。
【００５１】
このような本実施形態における風呂給湯システム１は、流通する湯水の温度によりバイパス流路６３を開閉する流路切替機構部７０を備えた場合であっても、浴槽４の残湯温度や水位を正確に検知することができる。これにより、上記条件（１）および（２）に合致するような状況下であっても、ユーザーの意図する自動湯張り運転を好適に行うことができる。
【００５２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００５３】
例えば、ＳＭＡバネ７４に代えて、形状回復温度相当の温度より温度以上である場合に膨張し、形状回復温度相当の温度より温度が低い場合に収縮するワックスサーモエレメントを用いてもよい。
【００５４】
また、熱源機としての給湯機５は、貯湯タンク１１外にヒートポンプ式の加熱装置を設け、貯湯タンク１１内の湯水を循環加熱する構成としたり、風呂熱交換器３３を貯湯タンク１１外に配置して、貯湯タンク１１内の湯水を風呂熱交換器３３の一次側に循環させる構成としたり、給水や浴槽水をガスバーナや石油バーナで加熱する瞬間式熱交換器（風呂熱交換器）を有した構成としたものでもよい。
【符号の説明】
【００５５】
１  風呂給湯システム
２  風呂循環流路切替装置
３  浴室
４  浴槽
５  風呂給湯機
６  風呂循環流路
８  リモコン
３１  戻り管
３２  往き管
３３  風呂熱交換器
３５  風呂循環ポンプ
３６  流水センサ
３７  風呂温度センサ
３８  水位センサ
４０  風呂バイパス管
３９  風呂三方弁
５０  制御部
６１  切替装置往き流路
６２  切替装置戻り流路
６３  切替装置バイパス流路
７０  流路切替機構部
【図１】
0006383287.tif 000002
【図２】
0006383287.tif 000003
【図３】
0006383287.tif 000004
【図４】
0006383287.tif 000005
【図５】
0006383287.tif 000006
【図６】
0006383287.tif 000007